(57)【要約】【課題】複数の便器本体５０１Ａ〜５０１Ｄを有する負圧吸引式トイレの簡素化【解決手段】  ここで提案される負圧吸引式トイレ１０００は、複数の便器本体５０１Ａ〜５０１Ｄと、負圧タンク５０２と、幹管５０３と、複数の枝管５０４Ａ〜５０４Ｄと、複数の第１弁５０５Ａ〜５０５Ｄと、第２弁５０６と、真空ポンプ５０７と、排出弁５０８と、制御装置５１０とを備えている。制御装置５１０は、例えば、ステップＡとして、第１弁５０５Ａ〜５０５Ｄを全て閉じた状態で、真空ポンプ５０７を作動させる。次に、ステップＢとして、複数の第１弁５０５Ａ〜５０５Ｄのうち、１つの弁を開ける。【選択図】図１
2015124546.tif 000002
【特許請求の範囲】
【請求項１】
排出口をそれぞれ有する複数の便器本体と、
吸引口を備えた負圧タンクと、
前記吸引口に取り付けられた幹管と、
前記幹管から枝分かれし、前記複数の便器本体の排出口にそれぞれ接続された枝管と、
前記枝管にそれぞれ取り付けられた第１弁と、
前記負圧タンクに取り付けられた真空ポンプと、
前記第１弁と、前記真空ポンプとに、電気的に制御可能に接続された制御装置と
を備え、
前記制御装置は、
前記第１弁を全て閉じた状態で、前記真空ポンプを作動させるステップＡと、
前記複数の第１弁のうち、１つの弁を開けるステップＢと、
を実行する、
負圧吸引式トイレ。
【請求項２】
排出口をそれぞれ有する複数の便器本体と、
吸引口を備えた負圧タンクと、
前記吸引口に取り付けられた幹管と、
前記幹管から枝分かれし、前記便器本体の排出口にそれぞれ接続された枝管と、
前記枝管にそれぞれ取り付けられた第１弁と、
前記負圧タンクの吸引口または前記幹管に設けられた第２弁と、
前記負圧タンクに取り付けられた真空ポンプと、
前記第１弁と、前記第２弁と、前記真空ポンプとに、電気的に制御可能に接続された制御装置と
を備え、
前記制御装置は、
前記第２弁を閉じた状態または前記第１弁を全て閉じた状態で、前記真空ポンプを作動させるステップＡ１と、
前記複数の第１弁のうち１つの第１弁を開け、他の第１弁を閉じるステップＢ１と、
前記第２弁を開けるステップＢ２と、
を実行する、
負圧吸引式トイレ。
【請求項３】
前記第２弁は、前記負圧タンクの吸引口に設けられている、請求項２に記載された負圧吸引式トイレ。
【請求項４】
前記ステップＡ１では、当該第２弁が閉じられた状態で、前記真空ポンプを作動させる、請求項３に記載された負圧吸引式トイレ。
【請求項５】
前記ステップＡ１では、前記全ての第１弁を閉じ、前記第２弁を開いた状態で、前記真空ポンプを作動させ、前記負圧タンクが少し減圧された後で、前記第２弁を閉じて、前記負圧タンクをさらに減圧する、請求項２または３に記載された負圧吸引式トイレ。
【請求項６】
前記負圧タンクは、
底部に設けられた排出口と、
当該排出口を開閉する排出弁と
を備え、
前記制御装置は、
前記排出弁に、電気的に制御可能に接続されており、
前記ステップＡまたはステップＡ１では、前記排出弁が閉じられた状態で、前記真空ポンプを作動させ、かつ、
前記ステップＢまたは前記ステップＢ１の後に、前記排出弁を開けるステップＣを実行する、請求項１から５までの何れか一項に記載された負圧吸引式トイレ。
【請求項７】
前記複数の便器本体には、操作部がそれぞれ設けられており、
前記操作部は、前記制御装置に電気的に接続されており、
前記制御装置は、前記複数の便器本体にそれぞれ設けられた前記操作部のうち１つの操作部が操作された場合に、
前記ステップＢまたは前記ステップＢ１では、当該操作された１つの操作部に対応した便器本体に応じた第１弁を開け、他の第１弁を閉じる、請求項１から６までの何れか一項に記載された負圧吸引式トイレ。
【請求項８】
前記制御装置は、
前記複数の便器本体にそれぞれ設けられた前記操作部のうち１つの便器本体の操作部が操作された場合に、
当該便器本体に対して、少なくとも前記ステップＣが完了して前記排出弁が閉じられるまで、
他の便器本体の操作部が操作されても、当該操作に応じた前記ステップＡを開始させない、開始制限部を備えた、請求項７に記載された負圧吸引式トイレ。
【請求項９】
前記操作部は、前記ステップＡを実行する指令を前記制御装置に出すためのスイッチをそれぞれ備えた、請求項７または８に記載された負圧吸引式トイレ。
【請求項１０】
前記操作部は、前記ステップＢまたは前記ステップＢ１を実行する指令を前記制御装置に出すためのスイッチをそれぞれ備えた、請求項７から９までの何れか一項に記載された負圧吸引式トイレ。
【請求項１１】
前記負圧タンクと前記真空ポンプとの接続を開閉する減圧弁を備え、
前記制御装置は、
前記ステップＡにおいて、前記減圧弁を開いた状態で、前記真空ポンプを作動させ、当該真空ポンプを停止するときに前記減圧弁を閉じる、請求項１から１０までの何れか一項に記載された負圧吸引式トイレ。
【請求項１２】
前記制御装置は、
ステップＣにおいて、前記第１弁または前記第２弁を閉じた状態で、前記排出弁を開く、
請求項１から１１までの何れか一項に記載された負圧吸引式トイレ。
【請求項１３】
前記負圧タンクを大気開放する大気開放弁を備え、
前記制御装置は、
前記ステップＣにおいて、前記大気開放弁を開ける、
請求項１から１２までの何れか一項に記載された負圧吸引式トイレ。
【請求項１４】
前記ステップＣにおいて、前記大気開放弁は前記排出弁よりも早く開く、請求項１３に記載された負圧吸引式トイレ。
【請求項１５】
前記便器本体に設けられた便座と、
前記便座に人が座ったことを検知する着座センサと
を備え、
前記制御装置は、
前記便座に人が座ったことを検知した信号を前記着座センサから受けて、前記ステップＡを実行する、
請求項１から１４までの何れか一項に記載された負圧吸引式トイレ。
【請求項１６】
前記制御装置は、
前記便座に人が座っている状態から人が便座から離れたことを検知した信号を前記着座センサから受けて、前記ステップＢを実行する、
請求項１５に記載された負圧吸引式トイレ。
【請求項１７】
前記複数の便器本体にそれぞれ注水する注水機構を備え、
前記制御装置は、前記注水機構によって、前記ステップＢまたは前記ステップＢ１が実行される前に、当該ステップＢで前記第１弁が開かれる便器本体に注水するステップＤを備えた、請求項１から１６までの何れか一項に記載された負圧吸引式トイレ。
【請求項１８】
前記複数の便器本体に対応した、前記ステップＤを実行する指令を前記制御装置に出すためのスイッチをそれぞれ備えた、請求項１７に記載された負圧吸引式トイレ。
【請求項１９】
前記複数の便器本体に注水する注水機構を備え、
前記制御装置は、前記ステップＢまたは前記ステップＢ１が実行された後で、前記ステップＢで開かれた前記第１弁を閉じ、当該第１弁が閉じられた便器本体に注水するステップＤを備えた、請求項１から１７までの何れか一項に記載された負圧吸引式トイレ。
【請求項２０】
前記制御装置の制御は、タイマーによって管理されたシーケンス制御による、請求項１から１９までの何れか一項に記載された負圧吸引式トイレ。
【請求項２１】
前記負圧タンクの内圧を検知する気圧計を備え、
前記制御装置は、前記ステップＡにおいて、前記気圧計によって検知された前記負圧タンクの内圧の検知値に基づいて、前記負圧タンクを予め定められた内圧になるように制御する、請求項１から２０までの何れか一項に記載された負圧吸引式トイレ。
【発明の詳細な説明】
【技術分野】
【０００１】
本発明は負圧吸引式トイレに関する。
【背景技術】
【０００２】
例えば、特許文献１には負圧吸引式トイレが開示されている。特許文献１で開示された負圧吸引式トイレは、便器と、便器の排水口に接続された排出管路と、排出管路の他端に接続された負圧タンクと、排出管路に設けられた開閉弁とを備えている。そして、便器に排泄物や排水が溜まっている状態において、負圧タンクを負圧にし、開閉弁を開くことによって、便器に溜まった排泄物および排水が排出管路を通じて負圧タンクに吸引搬送されるようになっている。負圧吸引式トイレは、例えば、特許文献２から特許文献４にも開示されている。
【０００３】
また、寝床やベッドの横に置いて用いられるポータブルトイレも知られている（例えば、特許文献５）。これらのポータブルトイレは、排便に介護が必要な高齢者や病人等が用を足すために用いられる。
【先行技術文献】
【特許文献】
【０００４】
【特許文献１】特開平１０−１９５９６０号公報
【特許文献２】特公昭５５−２７９３８号公報
【特許文献３】特開２０００−３２５２５８号公報
【特許文献４】特開２００１−３１７１０５号公報
【特許文献５】特開２０１０−２４０１６５号公報
【発明の概要】
【発明が解決しようとする課題】
【０００５】
ポータブルトイレは、例えば、寝床やベッドの横に置いて、自力でトイレまで行けない高齢者や病人等が用を足すための簡易トイレとして使用されている。ポータブルトイレは、排泄物を受けるバケツのような容器が便器に取り付けられている。容器には、予め水が入れられており、通常は、蓋がされている。使用者は、蓋を開けて使用し、使用後には蓋をする。介護者は、排泄物が収容された容器を便器から取り外して、トイレに捨てに行き、容器を洗浄して、再び便器に取り付ける。
【０００６】
かかるポータブルトイレは、排泄物を受ける容器に蓋がされているのみであるから、臭いが生じ易い。また、容器を取り外して、トイレに捨てに行き、容器を洗浄して、再びセットする作業は、介護者にとって負担である。介護される者にとっても精神的に負担が生じる。
【０００７】
このようなことから、本発明者は、ポータブルトイレに負圧吸引式トイレを適用することを考えている。ポータブルトイレに負圧吸引式トイレが適用された場合、介護者にとっては、排泄物を処理する負担が軽減される。また、介護される者にとっては、排泄物の処理が自ら行えるようになり、排泄物の処理を他人に負わせることに対する精神的な負担が軽減される。
【０００８】
さらに、本発明者は、例えば、介護施設や高齢者福祉施設のような集合住宅において、介護される者が生活する施設の各部屋に負圧吸引式トイレを設置することを想定している。この場合、負圧吸引式トイレを設置するための設備コストを低く抑えたい。
【課題を解決するための手段】
【０００９】
ここで提案される負圧吸引式トイレは、複数の便器本体と、負圧タンクと、幹管と、枝管と、第１弁と、真空ポンプと、制御装置とを備えている。ここで、複数の便器本体は、排出口をそれぞれ有している。負圧タンクは、吸引口を備えている。幹管は吸引口に取り付けられている。枝管は幹管から枝分かれし、複数の便器本体の排出口にそれぞれ接続されている。第１弁は枝管にそれぞれ取り付けられている。真空ポンプは、負圧タンクに取り付けられている。制御装置は、第１弁と、真空ポンプとに、電気的に制御可能に接続されている。ここで、制御装置は、第１弁を全て閉じた状態で、真空ポンプを作動させるステップＡと、複数の第１弁のうち、１つの弁を開けるステップＢとを実行する。かかる負圧吸引式トイレによれば、複数の便器本体のうち１つの便器本体から負圧タンクに排泄物を含む汚水を吸引することができる。
【００１０】
この場合、負圧タンクの吸引口または幹管に第２弁が設けられていてもよい。この場合、制御装置は、第２弁を閉じた状態または第１弁を全て閉じた状態で、真空ポンプを作動させるステップＡ１と、複数の第１弁のうち１つの第１弁を開け、他の第１弁を閉じるステップＢ１と、第２弁を開けるステップＢ２とを実行してもよい。この場合でも、かかる負圧吸引式トイレは、複数の便器本体のうち１つの便器本体から負圧タンクに排泄物を含む汚水を吸引することができる。
【００１１】
ここで、第２弁は、負圧タンクの吸引口に設けられていてもよい。また、ステップＡ１では、第２弁が閉じられた状態で、真空ポンプを作動させてもよい。また、ステップＡ１では、全ての第１弁を閉じ、第２弁を開いた状態で、真空ポンプを作動させ、負圧タンクが少し減圧された後で、第２弁を閉じて、負圧タンクをさらに減圧してもよい。
【００１２】
また、負圧タンクは、底部に設けられた排出口と、排出口を開閉する排出弁とを備えていてもよい。この場合、制御装置は、排出弁に、電気的に制御可能に接続されているとよい。そして、ステップＡまたはステップＡ１では、排出弁が閉じられた状態で、真空ポンプを作動させ、かつ、ステップＢまたはステップＢ１の後に、排出弁を開けるステップＣを実行してもよい。
【００１３】
また、複数の便器本体には、操作部がそれぞれ設けられていてもよい。この場合、操作部は、制御装置に電気的に接続されているとよい。制御装置は、複数の便器本体にそれぞれ設けられた操作部のうち１つの操作部が操作された場合に、ステップＢまたはステップＢ１では、当該操作された１つの操作部に対応した便器本体に応じた第１弁を開け、他の第１弁を閉じてもよい。
【００１４】
また、制御装置は、複数の便器本体にそれぞれ設けられた操作部のうち１つの便器本体の操作部が操作された場合に、便器本体に対して、少なくともステップＣが完了して排出弁が閉じられるまで、他の便器本体の操作部が操作されても、当該操作に応じたステップＡを開始させない、開始制限部を備えていてもよい。
【図面の簡単な説明】
【００１５】
【図１】図１は、負圧吸引式トイレ１０００を模式的に示す図である。
【図２】図２は、負圧吸引式トイレ１０００の１つのトイレ５００を模式的に示す図である。
【図３】図３は、負圧吸引式トイレ１０００の制御装置５１０のフローチャートである。
【図４】図４は、ステップＤ、ステップＥを含む制御装置５１０のフローチャートである。
【図５】図５は、ステップＤ、ステップＥを含む制御装置５１０のフローチャートの他の一例である。
【発明を実施するための形態】
【００１６】
以下、本発明の一実施形態に係る負圧吸引式トイレを説明する。ここで説明される実施形態は、当然ながら特に本発明を限定することを意図したものではない。また、各図は模式的に描かれており、例えば、各図における寸法関係（長さ、幅、厚さ等）は実際の寸法関係を反映するものではない。また、同じ作用を奏する部材・部位には同じ符号を付し、重複する説明は適宜に省略または簡略化する。
【００１７】
《負圧吸引式トイレ１０００》
図１は、ここで提案される負圧吸引式トイレ１０００を模式的に示す図である。ここで提案される負圧吸引式トイレ１０００は、図１に示すように、複数のトイレ５００Ａ〜５００Ｄと、１つの負圧タンク５０２とを備えている。詳しくは、負圧吸引式トイレ１０００は、複数のトイレ５００Ａ〜５００Ｄの便器本体５０１Ａ〜５０１Ｄと、負圧タンク５０２と、幹管５０３と、複数の枝管５０４Ａ〜５０４Ｄと、複数の第１弁５０５Ａ〜５０５Ｄと、第２弁５０６と、真空ポンプ５０７と、排出弁５０８と、制御装置５１０とを備えている。図２は、負圧吸引式トイレ１０００の１つのトイレ５００を模式的に示す図である。図２に例示されたトイレ５００は、ポータブルトイレである。図２に示す例では、便器本体５０１は、排泄物が排泄される容器である。
【００１８】
なお、枝管５０４、第１弁５０５は、複数のトイレ５００Ａ〜５００Ｄにそれぞれ設けられている。図１に示す例では、負圧吸引式トイレ１０００は、４つのトイレ５００Ａ〜５００Ｄを備えている。トイレ５００Ａ〜５００Ｄは、それぞれ便器本体５０１Ａ〜５０１Ｄ、枝管５０４Ａ〜５０４Ｄおよび第１弁５０５Ａ〜５０５Ｄを備えている。ここで、複数（ここでは、４つ）のトイレ５００Ａ〜５００Ｄ、便器本体５０１Ａ〜５０１Ｄ、枝管５０４Ａ〜５０４Ｄおよび第１弁５０５Ａ〜５０５Ｄは、アルファベットの添え字Ａ〜Ｄによってそれぞれ区別されている。添え字Ａ〜Ｄは、複数の便器本体５０１Ａ〜５０１Ｄ、枝管５０４Ａ〜５０４Ｄおよび第１弁５０５Ａ〜５０５Ｄを区別する場合に付される。トイレ５００Ａ〜５００Ｄ、便器本体５０１Ａ〜５０１Ｄ、枝管５０４Ａ〜５０４Ｄおよび第１弁５０５Ａ〜５０５Ｄを、特に区別しない場合には、適宜に、添え字Ａ〜Ｄが省略されうる。
【００１９】
便器本体５０１Ａ〜５０１Ｄは、排出口５２１Ａ〜５２１Ｄをそれぞれ有している。なお、図１では、便器本体５０１Ａ〜５０１Ｄの排出口５２１Ａ〜５２１Ｄは、それぞれ模式的に描かれている。排出口５２１は、例えば、図２に示すように、便器本体５０１の底部５２２に設けられている。また、図２に示された形態では、排出口５２１に排出管路５２３が接続されている。図２に示す例では、排出管路５２３は、少なくとも一部において、便器本体５０１Ａ〜５０１Ｄの予め定められた高さよりも高い位置に配管された立ち上がり部５２４を有している。これによって、便器本体５０１Ａ〜５０１Ｄの底部には、予め定められた高さＪ１に水が溜められる。
【００２０】
《幹管５０３、枝管５０４Ａ〜５０４Ｄ、第１弁５０５Ａ〜５０５Ｄ》
この実施形態では、図２に示すように、枝管５０４は、それぞれ便器本体５０１の排出口５２１に取り付けられた排出管路５２３に接続されている。そして、図１に示すように、各便器本体５０１Ａ〜５０１Ｄの排出口５２１Ａ〜５２１Ｄに取り付けられた枝管５０４Ａ〜５０４Ｄがそれぞれ幹管５０３に接続されている。
【００２１】
図１に示すように、負圧タンク５０２は、吸引口５４１を備えている。幹管５０３は、負圧タンク５０２の吸引口５４１に取り付けられている。複数の枝管５０４Ａ〜５０４Ｄは、上述したように幹管５０３から枝分かれし、複数の便器本体５０１Ａ〜５０１Ｄの排出口５２１Ａ〜５２１Ｄにそれぞれ接続されている。つまり、複数の枝管５０４Ａ〜５０４Ｄのうち一の枝管は、複数の便器本体５０１Ａ〜５０１Ｄのうち、１つの便器本体の排出口に接続されている。ここでは、枝管５０４Ａ〜５０４Ｄは、便器本体５０１Ａ〜５０１Ｄのうち１つの排出管路にそれぞれ連結されているとよい。また、各枝管５０４Ａ〜５０４Ｄは、幹管５０３にそれぞれ接続されており、幹管５０３を通じて負圧タンク５０２の吸引口５４１に接続されている。かかる枝管５０４Ａ〜５０４Ｄには、第１弁５０５Ａ〜５０５Ｄがそれぞれ取り付けられている。
【００２２】
《負圧タンク５０２》
ここで、負圧タンク５０２は、図１に示すように、タンク本体５４０と、吸引口５４１と、排出口５４２と、大気開放弁５４３と、気圧計５４４とを備えている。また、負圧タンク５０２には真空ポンプ５０７が取り付けられている。負圧タンク５０２の底部には、排出口５４２が設けられている。排出口５４２には、排出弁５０８が設けられている。排出弁５０８は、排出口５４２を開閉する弁である。
【００２３】
《タンク本体５４０》
ここで、タンク本体５４０は、所要の真空圧に耐えうる耐圧容器である。負圧吸引式トイレ１０００では、タンク本体５４０を減圧し、大気開放する際の吸引力によって、便器本体５０１Ａ〜５０１Ｄから便を含む排水を吸引する。このためにタンク本体５４０は、十分な容量（例えば、凡そ７Ｌ〜１５Ｌ程度）を有しているとよい。
【００２４】
《真空ポンプ５０７、減圧弁５０７ｃ》
真空ポンプ５０７は、タンク本体５４０内の空気を吸引し、タンク本体５４０を減圧する装置である。この実施形態では、真空ポンプ５０７は、所要の能力を備えており、例えば、タンク本体５４０の内圧が０．０８ＭＰａ（ゲージ圧）程度になるまでタンク本体５４０を減圧することができる能力を備えているとよい。なお、真空ポンプ５０７によって減圧された後のタンク本体５４０の内圧は、０．０８ＭＰａ（ゲージ圧）に特段限定されるものではない。真空ポンプ５０７によって減圧された後のタンク本体５４０の内圧は、後述するように便器本体５０１に溜まった排泄物を含む排水が負圧タンク５０２によって吸引されるのに適当な負圧状態が負圧タンク５０２に確保されるとよい。また、タンク本体５４０と真空ポンプ５０７を繋ぐ配管５０７ａには、エアフィルタ５０７ｂと、減圧弁５０７ｃとを備えている。エアフィルタ５０７ｂは、タンク本体５４０から真空ポンプ５０７に引き込まれる空気中の異物を取り除くフィルタである。また、減圧弁５０７ｃは、真空ポンプ５０７による真空引きのタイミングを制御する弁である。
【００２５】
《吸引口５４１、排出口５４２、大気開放弁５４３、気圧計５４４、下水設備５５０》
吸引口５４１は、タンク本体５４０に設けられた開口である。タンク本体５４０の吸引口５４１には、幹管５０３が接続される。排出口５４２は、タンク本体５４０の底部に設けられている。当該排出口５４２には排出弁５０８が設けられている。排出弁５０８は、排出口５４２を開閉する弁である。タンク本体５４０には大気開放弁５４３が設けられている。大気開放弁５４３は、タンク本体５４０を大気開放する弁である。タンク本体５４０にはタンク本体５４０の内圧を測定する気圧計５４４が設けられている。排出口５４２は、排出口５４２よりも低い位置に配置された汚水ますや下水配管などの下水設備５５０に接続されている。負圧タンク５０２が大気開放された状態で、排出弁５０８が開かれると、負圧タンク５０２内の汚水が下水設備５５０に排出される。
【００２６】
《第２弁５０６》
幹管５０３または負圧タンク５０２の吸引口５４１には、第２弁５０６が設けられている。第２弁５０６は、幹管５０３または負圧タンク５０２の吸引口５４１を開閉する弁である。なお、この実施形態では、第２弁５０６は、幹管５０３に設けられている。
【００２７】
ここで、第１弁５０５Ａ〜５０５Ｄ、第２弁５０６、減圧弁５０７ｃ、排出弁５０８および大気開放弁５４３は、それぞれ電磁弁であり、制御装置５１０に電気的に接続されており、制御装置５１０によって制御される。また、気圧計５４４は、タンク本体５４０の内圧のデータを制御装置に適宜に送信する。
【００２８】
《制御装置５１０：実施例１》
制御装置５１０は、第１弁５０５Ａ〜５０５Ｄ、第２弁５０６、減圧弁５０７ｃ、排出弁５０８および大気開放弁５４３を制御する。ここで例示される一実施例では、制御装置５１０は、基本的な制御構成として、次のステップＡ、ステップＢを順に実行する。なお、ステップＡが実行される段階において、ステップＢにおいて第１弁５０５が開かれる便器本体５０１には、排泄物を含む汚水が溜まっているものとする。
【００２９】
〈ステップＡ〉
ステップＡは、第１弁５０５Ａ〜５０５Ｄを全て閉じた状態で、真空ポンプ５０７を作動させるステップである。かかるステップＡでは、枝管５０４Ａ〜５０４Ｄに取り付けられた第１弁５０５Ａ〜５０５Ｄが全て閉じられた状態である。この状態で真空ポンプ５０７が作動すると、第１弁５０５Ａ〜５０５Ｄで区切られた枝管５０４Ａ〜５０４Ｄの一部から幹管５０３および負圧タンク５０２までが、真空ポンプ５０７によって真空引きされる。これによって、第１弁５０５Ａ〜５０５Ｄで区切られた枝管５０４Ａ〜５０４Ｄの一部から幹管５０３および負圧タンク５０２までが負圧になる。なお、ステップＡは、負圧タンク５０２の排出弁５０８が閉じられた状態で実行されるとよい。
【００３０】
〈ステップＢ〉
ステップＢは複数の第１弁５０５Ａ〜５０５Ｄのうち、１つの弁を開けるステップである。かかるステップＢでは、枝管５０４Ａ〜５０４Ｄに取り付けられた第１弁５０５Ａ〜５０５Ｄのうち１つの第１弁が開けられる。かかるステップＢでは、例えば、使用者によって選択された一つの便器本体５０１Ａに接続された枝管５０４Ａに設けられた第１弁５０５Ａが開かれる。この際、ステップＡにおいて、負圧タンク５０２が負圧になっている。このため、第１弁が開けられた便器本体５０１Ａから枝管５０４Ａを通じて負圧タンク５０２に排泄物（排泄物を含む汚水）が吸引される。
【００３１】
かかるステップＢにおいて、第１弁５０５が開かれる便器本体５０１は、任意に選択される。ステップＡ、Ｂによって、複数の便器本体５０１Ａ〜５０１Ｄから選択された一つの便器本体５０１から負圧タンク５０２に排泄物を吸引することができる。なお、この実施例１では、第２弁５０６は、開いた状態で維持されており、実質的に使用されていない。従って、この場合には、第２弁５０６は、負圧吸引式トイレ１０００に設けられていなくてもよい。
【００３２】
《制御装置５１０：実施例２》
次に、制御装置５１０の制御について、他の形態（実施例２）を説明する。この実施形態では、図１および図２に示すように、負圧吸引式トイレ１０００は、負圧タンク５０２の吸引口５４１または幹管５０３に第２弁５０６が設けられている。（図１および図２に示す例では、第２弁５０６は幹管５０３に設けられている。）
【００３３】
〈ステップＡ１、ステップＢ１、ステップＢ２〉
制御装置５１０は、上述したステップＡに代えて、第２弁５０６または第１弁５０５Ａ〜５０５Ｄを全て閉じ、かつ、第１弁５０５Ａ〜５０５Ｄを閉じた状態で、真空ポンプ５０７を作動させるステップＡ１を実行するとよい。この場合、制御装置５１０は、上述したステップＢに代えて、複数の第１弁５０５Ａ〜５０５Ｄのうち１つの第１弁を開け、他の第１弁を閉じるステップＢ１と、第２弁５０６を開けるステップＢ２とを実行するとよい。なお、ステップＡ１は、負圧タンク５０２の排出弁５０８が閉じられた状態で実行されるとよい。
【００３４】
かかるステップＡ１、Ｂ１およびＢ２によって、複数の便器本体５０１Ａ〜５０１Ｄから選択された一つの便器本体５０１から負圧タンク５０２に排泄物を吸引することができる。
【００３５】
かかる形態の負圧吸引式トイレ１０００によれば、複数の便器本体５０１Ａ〜５０１Ｄを有している。負圧吸引式トイレ１０００において、負圧タンク５０２や真空ポンプ５０７を、共通化できる。このため、複数の便器本体５０１Ａ〜５０１Ｄに対して、負圧タンク５０２や真空ポンプ５０７をそれぞれ設ける場合に比べてコストを安く抑えることができる。
【００３６】
なお、図１および図２に示す例では、第２弁５０６は、幹管５０３に設けられているが、第２弁５０６は、負圧タンク５０２の吸引口５４１に設けられていてもよい。この場合、ステップＡ１では、当該第２弁５０６が閉じられた状態で、真空ポンプ５０７を作動させる。負圧タンク５０２の吸引口５４１に第２弁５０６を設けた形態では、幹管５０３および枝管５０４Ａ〜５０４Ｄは、減圧されない。このため、枝管５０４Ａ〜５０４Ｄおよび幹管５０３の耐圧性能に対する要求が緩和される。
【００３７】
この場合、幹管５０３および枝管５０４Ａ〜５０４Ｄにより汎用性のある配管を用いることができ、負圧吸引式トイレ１０００を安価に抑えることができる。なお、図１および図２に示すように、第２弁５０６は、幹管５０３に設けられていてもよい。第２弁５０６を幹管５０３に設ける場合には、幹管５０３は、少なくとも負圧タンク５０２と繋がって真空引きされる部分において所要の耐圧性を有する配管を用いるとよい。なお、第２弁５０６を、幹管５０３のうち負圧タンク５０２に近い側に設けることにより、幹管５０３のうち所要の耐圧性が要求される部分が短くなる。
【００３８】
なお、第２弁５０６を備えている場合、ステップＡ１では、第１弁５０５Ａ〜５０５Ｄを閉じ、第２弁５０６が開いた状態で、真空ポンプ５０７を作動させ、負圧タンク５０２、幹管５０３および枝管５０４Ａ〜５０４Ｄが少し減圧された後で、第２弁５０６を閉じて、負圧タンク５０２をさらに減圧してもよい。この場合、幹管５０３および枝管５０４Ａ〜５０４Ｄが少し減圧される。このため、ステップＢ１およびＢ２で、便器本体５０１Ａ〜５０１Ｄから負圧タンク５０２に排泄物を吸引する際に、幹管５０３および枝管５０４Ａ〜５０４Ｄが全く減圧されない場合に比べて、高い吸引力が得られる。また、特に、負圧タンク５０２から幹管５０３および枝管５０４Ａ〜５０４Ｄの距離が長い場合にも所要の吸引力が得られ易くなる。
【００３９】
ここで、幹管５０３および枝管５０４Ａ〜５０４Ｄが少し減圧された後で、第２弁５０６を閉じる場合についてステップＡ１を例示する。例えば、制御装置５１０において、真空ポンプ５０７を作動してから予め定められた時間経過した後で第２弁５０６が閉じられるようにステップＡ１が設定されているとよい。この場合、制御装置５１０がタイマーを備えていればよい。また、例えば、制御装置５１０において、真空ポンプ５０７を作動し、負圧タンク５０２、幹管５０３または枝管５０４Ａ〜５０４Ｄの内圧が予め定められた圧力になったときに、第２弁５０６が閉じられるようにステップＡ１が実行されてもよい。この場合、制御装置５１０は、負圧タンク５０２、幹管５０３または枝管５０４Ａ〜５０４Ｄに取り付けられた圧力計から信号を受信し、それに応じて第２弁５０６を操作するとよい。
【００４０】
〈ステップＣ〉
また、この実施形態では、負圧タンク５０２は、底部に設けられた排出口５４２と、当該排出口５４２を開閉する排出弁５０８とを備えている。排出弁５０８は、制御装置５１０に電気的に接続されている。これにより、排出弁５０８は、制御装置５１０によって電気的に制御される。この場合、ステップＡまたはステップＡ１では、排出弁５０８が閉じられた状態で真空ポンプを作動させるとよい。そして、ステップＢまたはステップＢ１の後に、排出弁５０８を開けるステップＣを実行するとよい。かかるステップＣでは、負圧タンク５０２内に溜められた排泄物が、負圧タンク５０２の底部に設けられた排出口５４２から排出される。この場合、負圧タンク５０２の排出口５４２よりも低い位置に汚水ますや下水配管を配置しておき、汚水ますや下水配管と、排出口５４２とを接続しておくとよい。これによって、排出口５４２を開けたときに、自然落下（自然流下）によって、負圧タンク５０２内の排泄物が、汚水ますや下水配管などの下水設備５５０に排出される。
【００４１】
《操作部１１０Ａ〜１１０Ｄ》
また、複数の便器本体５０１Ａ〜５０１Ｄには、操作部１１０Ａ〜１１０Ｄがそれぞれ設けられていてもよい。ここで、各操作部１１０Ａ〜１１０Ｄは、制御装置５１０に電気的に接続されている。これによって、各操作部１１０Ａ〜１１０Ｄでの操作に応じた電気信号が制御装置５１０に伝達される。制御装置５１０は、複数の便器本体５０１Ａ〜５０１Ｄの操作部１１０Ａ〜１１０Ｄのうち１つの操作部１１０が操作された場合に、ステップＢまたはステップＢ１では、当該操作された１つの操作部１１０に対応した便器本体５０１に応じた第１弁５０５が開けられ、他の第１弁が閉じられる。これによって、ステップＢまたはステップＢ１では、当該操作された１つの操作部１１０に対応した便器本体５０１から負圧タンク５０２に排泄物が吸引される。
【００４２】
《開始制限部５１１》
この場合、制御装置５１０は、ステップＡの開始を制限する開始制限部５１１を備えていてもよい。開始制限部５１１は、複数の便器本体５０１Ａ〜５０１Ｄのうち１つの便器本体の操作部１１０が操作された場合に、他の便器本体５０１の操作部１１０が操作されても、当該操作に応じたステップＡを開始されるのを制限する。ここでは、開始制限部５１１は、１つの便器本体の操作部１１０が操作された場合に、当該操作に応じて少なくともステップＣが完了して負圧タンク５０２の排出弁５０８が閉じられるまで、他の便器本体５０１の操作部１１０が操作されたことに応じてステップＡが開始されるのを制限する。つまり、この負圧吸引式トイレ１０００は、複数のトイレ５００Ａ〜５００Ｄを有している。上述した開始制限部５１１によれば、複数の便器本体５０１Ａ〜５０１Ｄのうち１つの便器本体の操作部１１０が操作された場合に、他の便器本体５０１の操作部１１０が操作されても、当該操作に応じたステップＡが開始されるのが制限される（換言すれば、当該操作に応じたステップＡが開始されない）。このため、トイレ５００Ａ〜５００Ｄが１つずつ吸引されるので、負圧タンク５０２による吸引力が確保される。
【００４３】
《下水設備（汚水ます５５０）》
上述した実施例１、２において、ステップＡまたはステップＡ１では、真空ポンプ５０７が作動し、負圧タンク５０２が負圧状態になる。この際、例えば、真空ポンプ５０７の作動時間を予め決めておくとよい。これにより、負圧タンク５０２が予め定められた負圧状態に減圧される。次に、ステップＢまたはステップＢ１では、第２弁５０６が開かれる。これによって、便器本体５０１に溜まった排泄物が負圧状態となった負圧タンク５０２に吸引される。次に、ステップＣでは、排出弁５０８が開かれる。これによって、負圧タンク５０２に吸引された排泄物が排出される。この場合、例えば、図１で示すように、負圧タンク５０２の排出口５４２の先には、汚水ます５５０のように排泄物を含む排水（汚水）が排出される下水設備が設けられているとよい。
【００４４】
この場合、負圧タンク５０２内に吸引された排泄物を、排出口５４２から自然流下によって排出できる。また、毎回、負圧タンク５０２が空になるので、負圧タンク５０２の容量はある程度小さくでき、負圧タンク５０２を小型化できる。また、負圧タンク５０２からの排出には自然流下を利用するので、システム全体をコンパクトにでき、さらに低コスト化を図ることができる。
【００４５】
《操作部１１０（操作スイッチ）》
ここで、負圧吸引式トイレ１０００は、制御装置５１０を操作する操作部１１０（操作スイッチ）を備えていてもよい。操作部１１０は、例えば、負圧吸引式トイレ１０００の各トイレ５００Ａ〜５００Ｄの適当な位置に設けられていてもよい。例えば、図２に示す例では、操作部１１０は、トイレ５００の肘掛５３４に取り付けられている。なお、操作部１１０の配置はこれに限らない。例えば、操作部１１０は、リモコンに設けられていてもよい。
【００４６】
ここで、図１に示すように、負圧タンク５０２や真空ポンプ５０７などは、トイレ５００Ａ〜５００Ｄから離れた位置（例えば、屋外）に設けられる場合がある。これに対して、トイレ５００Ａ〜５００Ｄは、屋内に配置され、屋内で使用される。制御装置５１０を操作する操作部１１０（操作スイッチ）は、トイレ５００Ａ〜５００Ｄの近くに配置されることによって使用者の便宜が図られる。
【００４７】
操作部１１０は、上述したステップＡまたはステップＡ１を実行する指令を制御装置５１０に出すためのスイッチＳＡを備えていてもよい。例えば、操作部１１０に設けたスイッチを操作することによって、ステップＡが開始されるように構成してもよい。操作部１１０にこのようなスイッチＳＡを設けておくことによって、使用者は、真空ポンプ５０７を操作できる。
【００４８】
また、操作部１１０は、ステップＢまたはステップＢ１を実行する指令を制御装置５１０に出すためのスイッチＳＢを備えていてもよい。つまり、第２弁５０６を開いて便器本体５０１に溜まった排泄物を負圧タンク５０２に吸引する動作は、使用者が操作部１１０に設けられたスイッチＳＢを操作することによって開始してもよい。これにより、使用者の意図するタイミングで、便器本体５０１に溜まった排泄物を吸引することができる。
【００４９】
《減圧弁５０７ｃ》
さらに、負圧吸引式トイレ１０００は、負圧タンク５０２と真空ポンプ５０７との接続を開閉する減圧弁５０７ｃを備えていてもよい。この場合、制御装置５１０は、ステップＡにおいて、減圧弁５０７ｃを開いた状態で、真空ポンプ５０７を作動させ、真空ポンプ５０７を停止するときに減圧弁５０７ｃを閉じるとよい。この場合、減圧弁５０７ｃによって、負圧タンク５０２の減圧を適切に調整することができる。
【００５０】
《着座センサ１４０》
また、例えば、便器本体５０１が設けられた便座５３２には、図２に示すように、人が座ったことを検知する着座センサ１４０が設けられていてもよい。この場合、制御装置５１０は、便座５３２に人が座ったことを検知した信号を着座センサ１４０から受けて、ステップＡを実行するように構成してもよい。この場合、着座センサ１４０は、荷重センサとしてもよいし、赤外線センサなどで構成してもよい。なお、着座センサ１４０は、便座５３２に設けられた形態を例示しているが、着座センサ１４０の構成はかかる形態に限定されない。図示は省略するが、着座センサ１４０は、例えば、背もたれ５３３に赤外線センサ（近接センサ）を設けて、便座５３２に人が座ったことを検知するものでもよい。
【００５１】
また、誤作動を防止するため、着座センサ１４０の信号を基に、例えば、人が着座した状態が予め定められた時間（例えば、８秒程度）継続する場合に、ステップＡを実行するように制御装置５１０を構成してもよい。なお、便座５３２に人が座ったことを検知した信号を着座センサ１４０から受けてから、ステップＡが実行されるタイミングは、任意に設定することができる。このように着座センサ１４０を設けることによって、別途、スイッチを押すというような特別な操作を必要とせず、ステップＡが実行され、予め負圧タンク５０２が負圧状態になる。つまり、特別な操作を必要とせず、負圧タンク５０２を負圧状態にするステップＡが実行される。また、この場合、負圧タンク５０２が適切に負圧状態になるので、排便が終わると、負圧タンク５０２によって吸引するステップＢをスムーズに実行することができる。
【００５２】
また、このように、着座センサ１４０が設けられている場合には、制御装置５１０は、便座５３２に人が座っている状態から人が便座から離れたことを検知した信号を着座センサ１４０から受けて、適当なタイミングで、ステップＢを実行するとよい。つまり、この場合、便座５３２に人が座って排泄し、その後、便座５３２から人が退いた場合、制御装置５１０は、便座５３２に人が座ったこと、および、便座５３２から人が退いたことを検知できる。そして、制御装置５１０は、シーケンス制御によって、便座５３２から人が退いたことを検知してから、少し経った適当なタイミングで第２弁５０６を開け、便器本体５０１に溜まった排泄物を負圧タンク５０２に吸引するように制御できる。この場合、使用者は、制御装置５１０の操作部１１０を操作することなく、負圧吸引式トイレ１０００を使用できる。
【００５３】
《臭気対策》
また、制御装置５１０は、上述したような制御においてステップＢで吸引が完了すると、適当なタイミングで、第１弁５０５を閉じるとよい。ステップＢで吸引が完了後に、第１弁と第２弁５０６が両方開いていると、排出管路５２３を通じて、便器本体５０１に臭気が上がってくる。また、ステップＣでは、制御装置５１０は、第１弁５０５または第２弁５０６を閉じた状態で排出弁５０８を開くとよい。第１弁５０５または第２弁５０６を閉じた状態で排出弁５０８を開くことによって、負圧タンク５０２内の臭気が便器側に漏れるのを防止できる。
【００５４】
《大気開放弁５４３》
また、図１で示されているように、負圧タンク５０２には、大気開放する大気開放弁５４３が設けられていてもよい。この場合、制御装置５１０は、ステップＣにおいて、大気開放弁５４３を開けるとよい。これにより、負圧タンク５０２に吸引された排泄物を排出口５４２から排出する際に、負圧タンク５０２が大気開放されているので、排泄物をスムーズに排出できる。また、この場合、ステップＣにおいて、大気開放弁５４３は排出弁５０８よりも早く開くようにしてもよい。これによって、負圧タンク５０２の大気開放のタイミングが先であるため、負圧タンク５０２に溜まった排泄物が排出口５４２から排出される際に、負圧タンク５０２に大気が取り込まれる。このため、負圧タンク５０２に溜まった排泄物をよりスムーズに排出することができるとともに、排出時に生じる音や、負圧タンク５０２内での排泄物を含む排水の飛散を確実に小さくできる。
【００５５】
なお、負圧タンク５０２の大気開放のタイミングを先にする場合、大気開放弁５４３が開いてから、排出弁５０８が開くまでの時間や開度は、負圧タンク５０２内の臭気が外部に漏れるのが少なく抑えられる程度であるとよい。大気開放弁５４３が開かれてから排出弁５０８が開くまでの時間は、例えば、０．１秒から１秒程度で設定するとよい。また、大気開放弁５４３は、排出弁５０８が閉じられるのと同時または排出弁５０８が閉じられるよりも先、あるいは、排出弁５０８が閉じられた直後に閉じられてもよい。これにより、負圧タンク５０２内の臭気が外部に漏れるのを防止できる。
【００５６】
《注水機構１２０》
また、負圧吸引式トイレ１０００は、注水機構１２０を備えていてもよい。この場合、制御装置５１０は、ステップＢが実行される前に、注水機構１２０から便器本体５０１に注水するステップＤを備えているとよい。また、負圧吸引式トイレ１０００は、ステップＤを実行する指令を制御装置５１０に出すためのスイッチＳＤを備えていてもよい。かかるスイッチＳＤは、例えば、操作部１１０に設けられていてもよい。また、制御装置５１０は、ステップＢ後に第１弁５０５が閉じられた後で、注水機構１２０から便器本体５０１に注水するステップＥを備えていてもよい。ここで、注水機構１２０は、図２に示すように、注水用のタンク１２１とポンプ１２２とを備えており、ポンプ１２２を作動させることで注水するものでもよい。また、注水機構１２０は、図示は省略するが、ポンプ１２２に代えて開閉弁（例えば、電磁弁）が設けられ、開閉弁を開くことで、自然流下によって便器本体５０１に注水し、開閉弁を閉じることで注水が停止されるものでもよい。
【００５７】
また、制御装置５１０は、上記ステップＡからステップＣの各制御ステップは、タイマーによって管理されたシーケンス制御によってもよい。この場合、制御構成が簡素であり、システムを安価に構成できる。
【００５８】
《気圧計５４４》
また、負圧吸引式トイレ１０００は、図１に示すように、負圧タンク５０２の内圧を検知する気圧計５４４を備えていてもよい。この場合、制御装置５１０は、ステップＡにおいて、気圧計５４４によって検知された負圧タンク５０２の内圧（検知値）に基づいて、負圧タンク５０２を予め定められた内圧に調整してもよい。この場合、負圧タンク５０２を気圧計５４４の測定に基づいて適切な内圧になるように制御することができる。ここで、気圧計は、例えば、ゲージ圧を測定するものでよい。
【００５９】
《制御装置５１０の制御フロー》
図３は、この負圧吸引式トイレ１０００の制御装置５１０の制御フローを示している。制御装置５１０の制御フローは、例えば、以下の工程Ｓ１〜Ｓ８による。そして、負圧吸引式トイレ１０００の使用者が操作部１１０を操作するのを基に、図３の制御フローをスタートさせるとよい。なお、ここでは、制御装置５１０による制御は、制御装置５１０に内臓されるタイマーに基づいて、各工程を所定のタイミングで順次実行するシーケンス制御である。
【００６０】
《タンク本体５４０の減圧工程Ｓ１、Ｓ２》
タンク本体５４０の減圧工程は、減圧弁５０７ｃを開き、真空ポンプ５０７を作動（ＯＮ）させる（Ｓ１）。ここでは、上述したように、全ての第１弁５０５Ａ〜５０５Ｄを閉じた状態で行われる。また、第２弁５０６を備えている場合には、適宜に第２弁５０６が閉じられる。また、負圧タンク５０２では、排出弁５０８と大気開放弁５４３が閉じられた状態で、真空ポンプ５０７によって負圧タンク５０２のタンク本体５４０を真空引きするとよい。シーケンス制御では、減圧工程Ｓ１は、予め定められた時間ＫＴ１経過後に停止される。減圧工程Ｓ１は、予め定められた時間ＫＴ１経過後、減圧弁５０７ｃを閉じ、真空ポンプ５０７を停止（ＯＦＦ）する（Ｓ２）。これによって、タンク本体５４０は、予め定められたよりも低い内圧に減圧される。
【００６１】
ここで、予め定められた時間ＫＴ１は、真空ポンプ５０７が作動してからタンク本体５４０が所要の内圧（負圧状態）に達するまでの時間を予め調べておき、これに基づいて定めると良い。このため、ここで設定される時間ＫＴ１は、真空ポンプ５０７の吸引能力やタンク本体５４０の容量に応じて変わる。また、タンク本体５４０が予め定められたよりも低い内圧に確実になるように適当な時間を設定するとよい。例えば、負圧タンク５０２を０．０８ＭＰａ程度の負圧状態にするのであれば、負圧タンク５０２の容量や真空ポンプ５０７の出力にもよるが、例えば、真空ポンプ５０７を１５秒程度駆動させることによって、実現可能である。
【００６２】
なお、減圧を停止する工程（Ｓ２）は、タイマーを基に制御された構成を例示したが、タンク本体５４０に取り付けられた気圧計５４４によって得られるタンク本体５４０の内圧のデータに基づいて減圧弁５０７ｃと真空ポンプ５０７を停止させるタイミングを調整してもよい。つまり、制御装置５１０は、タンク本体５４０の内圧のデータを得つつ、｛タンク本体５４０の内圧＜Ｂ１（予め定められた内圧）｝となったタイミングで、減圧弁５０７ｃを閉じ、真空ポンプ５０７を停止（ＯＦＦ）してもよい。これにより、タンク本体５４０をより確実に予め定めたよりも低い内圧にすることができる。
【００６３】
また、タイマーで制御する場合でも、減圧を停止する工程（Ｓ２）の後で、気圧計５４４によってタンク本体５４０の内圧を測り、そのデータに基づいて、タンク本体５４０が予め定められた内圧に達していない場合には、さらに所定時間の減圧（追加の減圧）を行うようにしてもよい。この場合、気圧計５４４によってタンク本体５４０の内圧を測り、タンク本体５４０が予め定められた内圧に達するまで、追加の減圧を繰り返すようにしてもよい。これにより、予め定められたよりも低い内圧まで、より確実に、タンク本体５４０を減圧することができる。
【００６４】
《吸引工程Ｓ３、Ｓ４》
吸引工程（Ｓ３）は、複数のトイレ５００Ａ〜５００Ｄのうち選択された１つのトイレからタンク本体５４０に排水を吸引する。ここでは減圧工程Ｓ１およびＳ２によって、所要の内圧にタンク本体５４０が減圧された状態で行われる。ここで、当該選択されたトイレ５００の枝管５０４に設けられた第１弁５０５と、第２弁５０６とを開け、便器本体５０１に溜まった排水をタンク本体５４０に吸引する。これによって、タンク本体５４０が排出管路５２３を通じて便器本体５０１に通じる。便器本体５０１は大気に開放されているので、減圧された状態から大気圧に戻ろうとするタンク本体５４０によって吸引力が生じる。かかる吸引力によって、トイレ５００の便器本体５０１に溜まった排水は、排出管路５２３を通じてタンク本体５４０に引き込まれる。ここでは、第１弁５０５と第２弁５０６が開かれてから予め定められた時間ＫＴ２が経過した後、第１弁５０５は閉じられる（Ｓ４）。
【００６５】
《大気開放Ｓ５、排水の排出Ｓ６》
次に、タンク本体５４０に排水が引き込まれた状態で、大気開放弁５４３が開かれ、タンク本体５４０が大気開放される（Ｓ５）。そして、かかる大気開放にタイミングを遅らせて、排出弁５０８を開ける（Ｓ６）。これにより、タンク本体５４０に溜まった排水を下水設備５５０へ自然流下させることができる。ここでは、大気開放弁５４３が開かれてから予め定められた時間ＫＴ３が経過した後、大気開放弁５４３が閉じられる（Ｓ７）。また、排出弁５０８が開かれてから予め定められた時間ＫＴ４が経過した後、排出弁５０８が閉じられる（Ｓ８）。これにより、便器本体５０１およびタンク本体５４０は、操作部１１０が操作される前の状態に戻る。
【００６６】
なお、ここでは、便器本体５０１への注水は使用者が行ってもよいが、例えば、図２に示すように、負圧吸引式トイレ１０００に注水機構１２０を用意してもよい。ここで、注水機構は、例えば、注水タンク１２１（給水タンクとも称される。）とポンプ１２２（注水ポンプあるいは給水ポンプとも称される。）を備えているとよい。この場合、操作部１１０が操作された際に、減圧工程の前段階、或いは、負圧タンク５０２の減圧が行われているのと同時に、ポンプ１２２を作動させて注水タンク１２１から便器本体５０１に所定量の水が管路１２４を通して注水されるように制御を構築してもよい。
【００６７】
図４は、ステップＤ、ステップＥを含む制御装置５１０のフローチャートの一例を示している。図５は、ステップＤ、ステップＥを含む制御装置５１０のフローチャートの他の一例を示している。
【００６８】
図４は、使用者によって手動で操作される操作部１１０を有する形態である。図４に示す形態では、使用者は、操作部１１０によって負圧タンク５０２および真空ポンプ５０７を操作する。ここでは、図２に示すように、使用者が便器本体５０１に排泄し終わると、使用者が操作部１１０を操作することによって、制御装置５１０は、ステップＡを実行する。
【００６９】
《ステップＡ、ステップＡ１》
ステップＡまたはステップＡ１では、減圧弁５０７ｃが開けられ、真空ポンプ５０７が作動される（Ｓ１０１）。予め定められた時間、真空ポンプ５０７が作動して負圧タンク５０２が予め定められた負圧状態（例えば、０．０８ＭＰａ）に減圧されると、減圧弁５０７ｃが閉じられ、真空ポンプ５０７が停止する（Ｓ１０２）
【００７０】
《ステップＤ》
また、制御装置５１０は、ステップＡまたはステップＡ１と同時にステップＤを実行する。ステップＤでは、例えば、注水機構１２０に設けられたポンプ１２２を作動させ、注水機構１２０から便器本体５０１へ注水を開始する（Ｓ１０３）。ここで、注水量は予め定められた量とし、例えば、ポンプ１２２の作動時間を予め設定して調整するとよい。注水が完了すると、ポンプ１２２は停止する（Ｓ１０４）。
【００７１】
《ステップＢ、ステップＢ１、Ｂ２》
ステップＡが完了すると、制御装置５１０はステップＢまたはステップＢ１,Ｂ２を実行する。ステップＢまたはステップＢ１,Ｂ２では、第１弁５０５（適宜に第２弁５０６）が開かれる（Ｓ１０５）。ステップＢまたはステップＢ１,Ｂ２が実行される前には、ステップＡが完了しており、負圧タンク５０２が予め定められた負圧状態（例えば、０．０８ＭＰａ）に減圧されている。このため、ステップＢまたはステップＢ１,Ｂ２で第１弁５０５（適宜に第２弁５０６）が開かれると、便器本体５０１に溜まった排泄物を含む汚水は負圧タンク５０２に勢いよく吸引される。負圧タンク５０２による吸引が完了すると、第１弁５０５（適宜に第２弁５０６）は閉じられる（Ｓ１０６）。
【００７２】
《ステップＣ》
次に、制御装置５１０は、ステップＣを実行する。ステップＣでは、まず大気開放弁５４３が開かれる（Ｓ１０７）。そして、少し遅れて排出弁５０８が開かれる（Ｓ１０８）。これにより、負圧タンク５０２に溜まった排泄物を含む汚水は、排出口５４２から汚水ます５５０へ排出される。負圧タンク５０２から汚水ます５５０へ汚水の排出が完了すると、大気開放弁５４３と排出弁５０８が閉じられる（Ｓ１０９）。これにより、負圧タンク５０２内が空になる。
【００７３】
《ステップＥ》
また、この実施形態では、制御装置５１０は、ステップＣと同時にステップＥを実行する。ステップＥでは、ポンプ１２２を作動させる（Ｓ１１０）。かかるポンプ１２２の作動によって、便器本体５０１に所定量の水が貯められる。かかる注水は、次回の排便や排尿に備えたものであり、便器本体５０１の汚れを防止するとともに、排出管路５２３から臭気が上がってくるのを防止する。また、かかるステップＥでは、予め定められた量（例えば、１００ｍＬ程度）の水が注水されるとよい。予め定められた量の注水が完了すると、ポンプ１２２が停止される（Ｓ１１１）。
【００７４】
図４に係る形態におけるステップＡ〜ステップＥは、例えば、便器本体５０１への排泄が終わり、使用者がステップＡを実行する操作をすると、以後、シーケンス制御によって自動的に連続して実行されるように制御装置５１０の制御を構築してもよい。
【００７５】
次に、図５に示されたフローチャートを説明する。ここでは、負圧吸引式トイレ１０００は、便座５３２に人が座ったことを検知する着座センサ１４０を備えている。なお、ここでは、各ステップＡ〜Ｅについては、それぞれ図４の形態と同じ動作が実行されるので、その説明は適宜に省略する。
【００７６】
《ステップＡ、ステップＡ１（着座センサ）》
この場合、制御装置５１０は、便座５３２に人が座ったことを検知した信号を着座センサ１４０から受けて、ステップＡまたはステップＡ１を実行する。ここでは、便座５３２に人が座ったことを検知した信号を着座センサ１４０から受けて、負圧タンク５０２の減圧するステップＡまたはステップＡ１が実行される（Ｓ１０１、Ｓ１０２）。
【００７７】
《ステップＤ》
また、ここでは、使用者が排泄（Ｓ０１０）した後、使用者の操作（例えば、手動スイッチＳＤをＯＮにする操作：Ｓ０１１）によって、ステップＤが実行され便器本体５０１への注水が行われる（Ｓ１０３、Ｓ１０４）。この場合、使用者は、例えば、操作部１１０に設けられた、ステップＤを実行するためのスイッチＳＤを操作するとよい。
【００７８】
《ステップＢまたはステップＢ１、Ｂ２、ステップＣ、ステップＥ》
その後、制御装置５１０は、便座５３２から人が離れたことを検知して、ステップＢまたはステップＢ１、Ｂ２を実行する（Ｓ１０５、Ｓ１０６）。制御装置５１０は、例えば、着座センサ１４０からの信号を受けて便座５３２から人が離れたことを検知するとよい。これにより、便座５３２から人が離れると、制御装置５１０の制御によって、便器本体５０１に溜まった排泄物を含む汚水が、減圧された負圧タンク５０２に吸引される。さらに、その後、制御装置５１０は、ステップＣとステップＥを実行するとよい。このように、ステップＢまたはステップＢ１、Ｂ２、ステップＣ、ステップＥは、制御装置５１０が便座５３２から人が離れたことを検知して順に実行されるとよい。
【００７９】
ここで提案される負圧吸引式トイレ１０００は、例えば、介護施設や高齢者福祉施設のような集合住宅において、下水設備に接続した負圧タンク５０２を設置し、真空ポンプ５０７と幹管５０３を取り付けておくとよい。そして、各部屋において、使用者のニーズに応じて、幹管５０３に接続した枝管５０４を敷設し、枝管５０４に負圧吸引式のポータブルトイレを接続するとよい。これによって、上記集合住宅の各部屋に負圧吸引式のポータブルトイレを容易に仮設（増設）できる。また、各部屋に設置される負圧吸引式トイレに対して、負圧タンク５０２や真空ポンプ５０７が共用されるので、設備コストが安価に抑えられる。また、この場合、介護施設や高齢者福祉施設のような集合住宅において、枝管５０４は、幹管５０３から各部屋に予め敷設されていてもよい。枝管５０４が予め敷設されていると、負圧吸引式トイレがさらに容易に増設できる。このように負圧吸引式トイレ１０００は、介護施設や高齢者福祉施設のような集合住宅において、介護される者が生活する施設の各部屋に負圧吸引式トイレを設置する際の設備コストを低く抑えることができる。
【００８０】
以上、ここで提案される負圧吸引式トイレを種々説明したが、ここに挙げた実施例は、特に言及されない限りにおいて本発明を限定しない。
【産業上の利用可能性】
【００８１】
本発明は、上述したように、１つの負圧タンクによって複数のトイレを負圧吸引式トイレとすることができるものであり、産業上利用可能である。 
【符号の説明】
【００８２】
１１０、１１０Ａ-１１０Ｄ  操作部
１２０  タンク
１２０  注水機構
１２１  タンク
１２２  ポンプ
１２４  管路
１４０  着座センサ
５００、５００Ａ-５００Ｄ  トイレ
５０１、５０１Ａ-５０１Ｄ  便器本体
５０１Ａ  便器本体
５０２  負圧タンク
５０３  幹管
５０４、５０４Ａ-５０４Ｄ  枝管
５０５、５０５Ａ-５０５Ｄ  第１弁
５０６  第２弁
５０７  真空ポンプ
５０７ａ  配管
５０７ｂ  エアフィルタ
５０７ｃ  減圧弁
５０８  排出弁
５１０  制御装置
５１１  開始制限部
５２１、５２１Ａ-５２１Ｄ  排出口
５２２  底部
５２３  排出管路
５２４  立ち上がり部
５４０  タンク本体
５４１  吸引口
５４２  排出口
５４３  大気開放弁
５４４  気圧計
５５０  下水設備
１０００  負圧吸引式トイレ
Ｊ１  水が溜められる高さ
【図１】
2015124546.tif 000003
【図２】
2015124546.tif 000004
【図３】
2015124546.tif 000005
【図４】
2015124546.tif 000006
【図５】
2015124546.tif 000007